(57)【要約】【課題】    ゴルフボールが影響を最も受ける上空の風情報を、より正確に認識できるゴルフ場における風情報表示システム、および前記システムに用いられる風情報表示装置を提供する。【解決手段】  ゴルフ場のティーグランド又はティーグランド近傍に設置された風力発電機に設けられた風情報検知手段から得られる風情報を、データ伝送手段によりデータ表示装置に伝送し、前記データ表示装置に、前記風情報を表示することを特徴とするゴルフ場における風情報表示システムおよび前記システムに用いられる装置。特に、データ表示装置が、風力発電機のタワーに設けられている風情報表示システムおよび装置。【選択図】      図１
2005087391.tif 000002
【特許請求の範囲】
【請求項１】
ゴルフ場のティーグランド又はティーグランド近傍に設置された風力発電機に設けられた風情報検知手段から得られる風情報を、データ伝送手段によりデータ表示装置に伝送し、前記データ表示装置に、前記風情報を表示することを特徴とするゴルフ場における風情報表示システム。
【請求項２】
データ表示装置が、風力発電機のタワーに設けられていることを特徴とする請求項１に記載のゴルフ場における風情報表示システム。
【請求項３】
ゴルフ場のティーグランド又はティーグランド近傍に設置された風力発電機と、
前記風力発電機に設けられた風情報検知手段から得られる風情報を表示するデータ表示装置と、
前記風情報を、前記データ表示装置に伝送するデータ伝送手段とを有することを特徴とするゴルフ場における風情報表示装置。
【発明の詳細な説明】
【技術分野】
【０００１】
本発明は、ゴルフ場における風情報を、ゴルファーが、より正確に認識できるゴルフ場における風情報表示システムおよび風情報表示装置に関する。
【背景技術】
【０００２】
ゴルファーにとって、風速や風向等、風に関する情報は、スコアをアップさせるための重要な情報であり、特に強風下、飛距離が長いティーショットをする時に、風情報を正確に知ることができるか否かは、スコアに大きな影響を及ぼす。
【０００３】
このため、一般に、ゴルファーは、芝生の芝を手でつまんで、上方向に投げ、芝の飛ぶ様子から風速や風向を推測する。（非特許文献１）
しかし、前記の方法によっては、ゴルファーの背の高さ程度の風速や風向しか判断できない。
【０００４】
ゴルファーは、ゴルフボールの飛距離を長くするために、ゴルフボールが放物線に沿う様にショットする。この場合、ゴルフボールの飛ぶ距離、方向に、大きな影響を与える風は、地上５０〜１００ｍの風であり、ゴルファーにとっては、地上付近の風の情報ではなく、前記した上空の風に関する情報が、重要な情報となる。
【非特許文献１】「ゴルフ、１００を切る秘訣  １１番ホール（コース戦略２）」、「平成１５年９月１０日検索」インターネット＜ＵＲＬ  http://www.h2.dion.ne.jp/~yocchi/golf11.htm＞
【発明の開示】
【発明が解決しようとする課題】
【０００５】
本発明の課題は、ゴルフボールが影響を最も受ける上空の風情報を、より正確に認識できるゴルフ場における風情報表示システム、および前記システムに用いられる風情報表示装置を提供することにある。
【課題を解決するための手段】
【０００６】
本発明者は、風力発電機には、風速計や風向計が、ゴルフボールが最も影響を受け易い上空に設けられていることに着目し、本発明を見出した。
【０００７】
本発明は、ゴルフ場のティーグランド又はティーグランド近傍に設置された風力発電機に設けられた風情報検知手段から得られる風情報を、データ伝送手段によりデータ表示装置に伝送し、前記データ表示装置に、前記風情報を表示することを特徴とするゴルフ場における風情報表示システムである。
【０００８】
本発明者は、さらに以下の発明を提供する。
前記のゴルフ場における風情報表示システムであって、データ表示装置が、風力発電機のタワーに設けられていることを特徴とするゴルフ場における風情報表示システム。
【０００９】
ゴルフ場のティーグランド又はティーグランド近傍に設置された風力発電機と、
前記風力発電機に設けられた風情報検知手段から得られる風情報を表示するデータ表示装置と、
前記風情報を、前記データ表示装置に伝送するデータ伝送手段とを有することを特徴とするゴルフ場における風情報表示装置。
【発明の効果】
【００１０】
本発明における風力発電機は、ティーグランド又はティーグランド近傍に設置されているため、ゴルフボールが風力発電機のブレード、ナセル、タワー等に当って、これらを損傷するという危険がなく、ゴルファーも安心してショットをすることができる。
【００１１】
本発明における風情報検知手段は、風力発電機に、風力発電機本来の目的で設けられている風速計、風向計を利用することができるため効率的であり、また、風力発電機の風速計、風向計は、タワー上部に設けられているため、ゴルフボールに対して大きく影響を与える位置における風に関する情報をより正確に検知することができる。
【００１２】
本発明では、ゴルフボールに影響を大きく与える位置における風情報が、風力発電機に設けられた風情報検知手段により得られ、前記風情報がデータ表示装置に表示されるため、ゴルファーはリアルタイムに正確な風情報が得られ、この情報に基づき、理想のショットに近づけさせることができる。
【００１３】
データ表示装置が、風力発電機のタワーに設けられている場合は、データ表示装置取付用の特別の設備を必要とせず経済的である。さらに、データ表示装置の駆動用電力として、風力発電機から得られる電力を利用する場合は、わずかなケーブルの接続だけで済む。
【００１４】
データ表示装置がティーグランドに設けられている場合は、ゴルファーも、飛距離が長く、風の影響を受けやすいティーショットを行なうに際し、より正確な風情報をリアルタイムに得ながら、ＯＢやロストボールに対する不安を解消して、安心してショット方法を考え、理想のティーショットに近づけさせることができる。
【００１５】
今日、風力発電機は、自然エネルギーを最も有効にかつ効率的に利用でき、地球環境に寄与する発電機として位置付けられている。このような風力発電機から得られる電力を、ゴルフ場内の電気設備への利用や電力会社等への売電に供すると共に、風力発電機に予め設けられた風情報検知手段を、本発明に利用することにより、より効果的なシステムにすることができ、本発明の風情報表示システム及び風情報表示装置は、ゴルファーから高い評価を得ることが出き、ゴルフ場利用者の増加にもつながる。
【発明を実施するための最良の形態】
【００１６】
風力発電機は、主に、ナセル、ブレード（風車）、ヨー制御装置、風速計、風向計およびこれらを上空に取付けるためのタワーにより構成される。ナセルには、ブレードの回転軸が連結された回転軸を有する発電機、発電機から得られた電力を制御するための制御回路装置が設けられている。
【００１７】
ナセルは、ヨー制御装置により、ブレードが常に風の方向を向く様に制御されており、また、風力発電機には、ヨー制御装置等の制御のために、風情報検知手段である風速計および風向計がタワー上部に設けられている。本発明では、この風情報検知手段を利用することに大きな意義がある。
【００１８】
風力発電機には、主に同期発電機型風力発電機、誘導発電機型風力発電機があり、本発明においては、特に制限されないが、一般的には後者が用いられる。ブレードにも、プロペラ型、ダリウス型、ジャイロミル型など様々な種類があり、本発明においては、風車についても、特に制限されないが、一般的にはプロペラ型が用いられる。この場合、翼の数が少なくなると騒音が大きくなるため、本発明では３翼型程度のブレードが好ましい。
【００１９】
風力発電機は、ティーグランド又はティーグランド近傍に設けられる。風力発電機をティーグランド又はティーグランド近傍以外のコース途中に設置した場合、ゴルフボールが、風力発電機のブレード、ナセル、タワー等に当り、これらを損傷させる危険があり、ゴルファーにとっても、コースにおける障害物が増える。その点、風力発電機がティーグランドまたはティーグランド近傍に設けられている場合は、このような問題がない。風力発電機をティーグランド近傍に設ける場合、ティーショットの障害にならない場所に設けられる。
【００２０】
風力発電機から得られる電力は、ゴルフ場内の電気設備への利用や、電力会社等への売電の供されると共に、データ表示装置の駆動用電力としても用いられることが好ましい。
【００２１】
本発明における風情報とは、風速、風向を指す。
【００２２】
本発明における風情報検知手段とは、風力発電機に設けられた風速計、風向計を指すが、風速計、風向計のいずれか一つを利用する場合も本発明に含まれる。
【００２３】
風情報の内、ゴルファーにとって、より重要な情報は風向であり、特に強風時の風向がゴルフボールに最も大きい影響を与えるため、風向計については、正確に検知でき、瞬時に追随できる風向計であることが好ましい。
【００２４】
次に、風情報検知手段は、風力発電機のタワー上部に設けられているが、ゴルフボールが最も影響を受ける高さ、特に、地上５０〜１００ｍの位置に設けられていることが好ましい。他の条件により、前記の位置に設けられていない場合は、風速計、風向計から得られる風情報から、所望の上空の風の風情報を推認した補正データが、データ表示装置に伝送されることが好ましい。
【００２５】
風情報検知手段により得られる風情報は、通常、データ伝送手段である信号ケーブルによってデータ表示装置に伝送されるが、必要に応じて無線装置によって伝送されてもよい。これらのデータ伝送手段に必要な電力は、風力発電機から得られる電力が利用されることが好ましい。
【００２６】
次に、データ表示装置には、液晶表示装置、電光表示装置等が、主な装置として挙げられるが、本発明で用いられるデータ表示装置の種類は、特に制限されない。
【００２７】
データ表示装置には、風情報検知手段から得られる風速、風向の風情報が、リアルタイムに、文字、数字、矢印、イラスト等の図形等により表示されるが、風速に関する表示は、「強風」「弱風」「微風」等、文字による表示が認識されやすいので好ましい。一方、風向に関する表示は、矢印による表示が好ましい。
なお、これらの風情報の表示は、グリーンまでのゴルフコースの地形図と共に表示されることが、ゴルファーにとって理想のショットを感覚的にイメージしやすいため好ましい。
【００２８】
データ表示装置は、風力発電機から得られる電力により駆動されることが好ましい。これにより、データ表示装置の駆動用ケーブルが、風力発電機のナセルとデータ表示装置との間のケーブルのみで済み、また自然エネルギーの利用による、地球環境に優しい電力を少しでも有効に活用することができる。
【００２９】
データ表示装置は、ゴルファーが視認できる位置に設けられ、通常は地上１．５ｍ程度に設けられることが好ましい。
【００３０】
データ表示装置は、風力発電機のタワーに設けられることが、データ表示装置取付用の特別の設備を必要としないため好ましく、また、風力発電機から得られる電力を、データ表示装置の駆動用電力として用いる場合、風力発電機のナセルからデータ表示装置に電力を供給するためのケーブルも短くて済むので好ましい。タワーに設ける場合、一般にはタワー側面に固定して設けられる。
【００３１】
風力発電機のタワーが、ゴルファーの視認しやすい位置に設けられていない場合には、別途、データ表示装置取付用の設備を設けて設置する。
【００３２】
データ表示装置は、ティーグランドに設けられることが好ましい。ティーグランドでは、最も飛距離が長いティーショットを行うため、風の影響を受け易く、風情報を読み違えれば、ＯＢになったり、ショートコースではワンオンすることができず、スコアを大きく悪くする。このため、ゴルファーにとって、ティーグランドにおいて、風情報をより正確に知ることが好ましい。
【００３３】
データ表示装置を設ける具体的方法としては、データ表示装置が風力発電機のタワーに設けられ、風力発電機がティーグランドに設置されていることが最も効率的である。
【００３４】
また、データ表示装置は、ゴルフカートに設けられてもよい。この場合、小型のデータ表示装置により、充分視認することができる。ゴルフカートにデータ表示装置が設けられている場合は、風情報がグリーンまでの距離と共に表示されていることが好ましい。
【実施例】
【００３５】
図１は本発明の具体的な一例を示す説明図である。
風力発電機１は、ブレード２、ナセル３、ヨー制御装置４、風速計および風向計５、タワー６から構成されており、ティーグランド９に設置されている。ブレード２の回転軸は、ナセル３内部に設けられた発電機の回転軸に連結されている。
ナセル３は、風速計および風向計５の情報により制御されるヨー制御装置４により、ブレード２が常に風の方向を向くように制御されている。
【００３６】
風情報検知手段である風速計および風向計５は、ナセル３の後方上部に取付けられており、得られたデータは、信号ケーブル（図示せず）により、ヨー制御装置４に伝送されると共に、タワー６の側面に設けられたデータ表示装置であるディスプレイ７に伝送される。
【００３７】
ディスプレイ７には、得られた風速および風向のデータが、図２に示される通り、ティーグランド９、グリーン１０、池１１等を含めた、ゴルフコース８全体のイラストと共に、風向を示す矢印１２、風速を示す「強風」「弱風」「微風」の表示１３によって表示される。
【００３８】
以上の如く構成された風情報表示システムおよび風情報表示装置に基づき、ゴルファーは、ディスプレイ７に表示される上空の風情報を、リアルタイムに得ながら、ショットに工夫を加え、理想のショットに近づけさせることができる。
【図面の簡単な説明】
【００３９】
【図１】本発明の一例を示す説明図である。
【図２】本発明のデータ表示装置であるディスプレイの表示例を示す説明図である。
【符号の説明】
【００４０】
１  風力発電機
２  ブレード
３  ナセル
４  ヨー制御装置
５  風速計および風向計
６  タワー
７  ディスプレイ
８  ゴルフコース
９  ティーグランド
１０  グリーン
１１  池
１２  風向を示す矢印
１３  風速を示す表示
【図１】
2005087391.tif 000003
【図２】
2005087391.tif 000004